(57)【要約】      （修正有）【課題】マスカラ剤の付着した塗布部を十分にしごくことができ、同じ持ち手で容易に睫毛にマスカラ剤を塗布することのできるマスカラ塗布具を提供する。【解決手段】マスカラ塗布具１Ａが、細軸部２、細軸部２の一端に連設された塗布部３、細軸部２の他端に設けられたハンドル部４からなる。ハンドル部４と細軸部２との接合部５と該接合部５と反対側のハンドル部４の端部４ａとを結ぶ直線Ｌ１と、塗布部３の両端部を結ぶ直線Ｌ２とのなす角度αを４５〜１００°とする。【選択図】図１Ａ
2005237395.tif 000002
【特許請求の範囲】
【請求項１】
細軸部、細軸部の一端に連設された塗布部、細軸部の他端に設けられたハンドル部からなり、ハンドル部と細軸部との接合部と該接合部と反対側のハンドル部の端部とを結ぶ直線と、塗布部の両端部を結ぶ直線とのなす角度が４５〜１００°であるマスカラ塗布具。
【請求項２】
ハンドル部の両端の距離が、塗布部と細軸部を合わせた部分の両端の距離の２倍以上である請求項１記載のマスカラ塗布具。
【請求項３】
塗布部の両端を結ぶ直線と細軸部の両端を結ぶ直線とのなす角度が３０°以下である請求項１または２記載のマスカラ塗布具。
【請求項４】
ハンドル部が細軸部と反対側の端部に直線状領域を有し、該直線状領域の延長線が、塗布部または細軸部と交わる請求項１〜３のいずれかに記載のマスカラ塗布具。
【請求項５】
請求項１〜４のいずれかに記載のマスカラ塗布具と、マスカラ剤を収容する容器からなり、該容器が、マスカラ塗布具の塗布部と細軸部を内包することができ、内部に塗布部のしごき部材を備えているマスカラ用具。
【発明の詳細な説明】
【技術分野】
【０００１】
本発明は、マスカラ塗布具に関する。
【背景技術】
【０００２】
一般に、マスカラ塗布具は、細軸部と、細軸部の一端に連設された塗布部と、細軸部の他端に設けられたハンドル部とが一直線上に並んだ構造となっている。しかしながら、このような構造のマスカラ塗布具では、目頭や目尻といった睫毛の細部にマスカラ剤を塗布する際に、不要な部分にまでマスカラ剤が付着し、意図した仕上がりにならないことが多い。また、マスカラ剤を左右いずれの目の睫毛に塗布するかによって、あるいは、マスカラ剤を塗布する睫毛の部位によって、マスカラ塗布具を右手あるいは左手に持ち替え、マスカラ塗布具の目に対する角度を種々異ならせることが必要とされる。
【０００３】
これに対し、塗布部（第２のロッド）の両端から離間した位置に、塗布部に対して直角方向に細軸部（第１のロッド）を装着し、塗布部と細軸部をＴ字型にした塗布具（特許文献１）、塗布部の中央部に細軸部の端部をピンで回動自在に取り付けた塗布具（特許文献２）、マスカラ剤の貯蔵部の蓋にアーチ状のハンドルを設け、マスカラ剤の非使用時には、貯蔵部を囲むようにアーチ状のハンドルを畳み込めるようにし、マスカラ剤の使用時には、アーチ状のハンドルと塗布部とが様々な角度をとれるようにした塗布具（特許文献３）、平坦な把持部とその把持部の面に平行に植毛した剛毛のふさからなる塗布具（特許文献４）等が提案されている。
【０００４】
【特許文献１】特表平７−５０４８３１号公報
【特許文献２】実開昭６０−７０２１６号公報
【特許文献３】特開平６−２３７８２０号公報
【特許文献４】特表平１０−５０２２９１号公報
【発明の開示】
【発明が解決しようとする課題】
【０００５】
特許文献１に記載の塗布具のように、塗布部の両端から離間した位置に、塗布部に対して直角方向に細軸部を装着すると、マスカラ剤の塗布時に塗布部の先端が目に接触する危険を低下させることができる。しかしながら、この塗布具をマスカラ剤が入った容器に収納し、使用に際してその容器から引き出すときに、容器内にしごき部材が設けられていても、塗布時に睫毛にあたる塗布部の端面を十分にしごくことができない。そのため、不要に多くのマスカラ剤が塗布部に付着した状態で睫毛にマスカラ剤を塗布しなくてはならず、仕上がりが汚くなる。また、塗布時に細軸部が目の前を横切るため、視界が遮られるという問題もある。
【０００６】
特許文献２に記載の塗布具は、塗布部と細軸部が回動自在であるため、マスカラ剤が入った容器に塗布具を収納後、その容器から塗布具を引き出すときに、塗布部をしごくことはできるが、塗布部と細軸部を回動自在に固定するピンが折れる場合があり、また、塗布の度に塗布部と細軸部の角度を調整する必要があり、煩雑である。
【０００７】
特許文献３に記載の塗布具も、アーチ状のハンドルと塗布部との相対位置を塗布毎に調整しなくてはならないので煩雑であり、また、可動部が破損しやすい。
【０００８】
特許文献４に記載の塗布具は、塗布時にマスカラ剤の付着したふさを十分にしごくことができないので、仕上がりが汚くなる。また、塗布時に細軸部が目の前を横切るため、視界が遮られるという問題もある。
【０００９】
そこで、本発明は、塗布時にはマスカラ剤の付着した塗布部を十分にしごくことができ、持ち替えたり、目に対するブラシの角度を様々に変えなくても睫毛の任意の部分にマスカラ剤を塗布することができ、塗布中に視界が塗布具で遮られることもなく、容易に所望の仕上がりにマスカラ剤を塗布することのできるマスカラ塗布具を提供することを目的とする。
【課題を解決するための手段】
【００１０】
本発明者は、塗布時にはマスカラ剤の付着した塗布部を十分にしごくことができるようにするには、塗布部と細軸部を一列に配置することが有効であり、持ち替えたり、目に対するブラシの角度を様々に変えなくても睫毛の任意の部分にマスカラ剤を容易に塗布できるようにするには、ハンドル部と塗布部がなす角度を特定の範囲とするのが有効であることを見出した。
【００１１】
即ち、本発明は、細軸部、細軸部の一端に連設された塗布部、細軸部の他端に設けられたハンドル部からなり、ハンドル部と細軸部との接合部と該接合部と反対側のハンドル部の端部とを結ぶ直線と塗布部の両端部を結ぶ直線とのなす角度が４５〜１００°であるマスカラ塗布具を提供する。
【００１２】
また、本発明はこのマスカラ塗布具と、マスカラ剤を収容する容器からなり、該容器が、マスカラ塗布具の塗布部と細軸部を内包することができ、内部に塗布部のしごき部材を備えているマスカラ用具を提供する。
【発明の効果】
【００１３】
本発明のマスカラ塗布具は、ハンドル部と細軸部との接合部と該接合部と反対側のハンドル部の端部とを結ぶ直線と、塗布部の両端部を結ぶ直線とのなす角度が４５〜１００°であるため、ハンドル部を把持し、上下左右に動かすだけで、持ち手を変えることなく、塗布部の長手方向を目に平行にしたまま、目頭から目尻まで任意の部位の睫毛に容易にマスカラ剤を塗布することができる。さらに、塗布時に細軸部が目の前を横切ることはなく、視界が遮られることを防止できる。
【００１４】
また、本発明のマスカラ塗布具は、細軸部の一端に塗布部が連設されており、これらが一列に配置されているので、このマスカラ塗布具を、しごき部材を備えたマスカラ剤の容器と組み合わせて使用することにより、マスカラ剤が付着した塗布部を十分にしごくことができる。
【発明を実施するための最良の形態】
【００１５】
以下、図面を参照しつつ本発明を詳細に説明する。なお、各図中、同一符号は同一または同等の構成要素を表している。
【００１６】
図１Ａは、本発明の一実施例のマスカラ塗布具１Ａと容器１０からなるマスカラ用具の側面図であり、図１Ｂは、このマスカラ塗布具１Ａと容器１０を嵌めた状態の断面図、図２はこのマスカラ塗布具１Ａの使用方法の説明図である。
【００１７】
このマスカラ塗布具１Ａは、細軸部２と塗布部３が一列に連なるように細軸部２の一端に塗布部３を連設して、細軸部２の他端にハンドル部４を設けたものである。
【００１８】
容器１０は、塗布部３と細軸部２を内包し、ハンドル部４の端部に螺着するように形成されている。容器１０の内部には、中央部にしごき穴が開口した円盤状のしごき部材１１が設けられている。この容器１０にはマスカラ剤Ａが収容され、塗布部３と細軸部２を容器１０内にねじ込むことにより塗布部３にマスカラ剤Ａが付着し、それを引き出すことによりしごき部材１１で塗布部３がしごかれ、余分なマスカラ剤Ａが塗布部３から取り除かれるようにしている。
【００１９】
塗布部と細軸部をＴ字型に取り付けた塗布具では、マスカラ剤の入った容器からマスカラ塗布具を引き出すときに、マスカラ剤が付着した塗布部を容器内のしごき部材で十分にしごくことができないという問題が生じるが、このマスカラ塗布具１Ａでは、細軸部２と塗布部３が一列に連なっているので、マスカラ剤Ａが付着した塗布部３をしごき部材１１で十分にしごくことができる。
【００２０】
本発明のマスカラ塗布具１Ａでは、ハンドル部４と細軸部２の接合部５と該接合部５と反対側のハンドル部４の端部４ａとを結ぶ直線Ｌ１と、塗布部３の両端部を結ぶ直線Ｌ２とのなす角度αを４５〜１００°、好ましくは６０〜９０°とする。直線Ｌ１と直線Ｌ２がなす角度αをこのように設定することにより、マスカラ塗布具１Ａを用いて睫毛にマスカラ剤を塗布する際に、図２に示すように、ハンドル部４を把持し、矢印のように上下又は左右に動かすだけで、左右いずれの目についても、目頭から目尻まで任意の部位の睫毛に容易にマスカラ剤を塗布することができる。この場合、持ち手を変える必要はなく、塗布部３の長手方向は常に目に平行にしたままでよい。さらに、塗布時に細軸部２が目の前を横切らないため、視界が遮られることを防止できる。これに対し、角度αが１００°を超えると、塗布部と細軸部とハンドル部が一直線上に並んだ従来のマスカラ塗布具の構造に近くなり、同じ持ち手のままで左右の目の睫毛にマスカラ剤を塗布することが難しくなる。
【００２１】
塗布部３は、マスカラ剤を睫毛に全体的に塗布する場合にも、睫毛の細部の塗布にも適するように、長さＤ１を０．５〜３ｃｍとすることが好ましく、１〜２．４ｃｍとすることがより好ましい。
【００２２】
塗布部３の形成材料や形成方法には特に制限がなく、剛毛を針金で螺旋状に巻き付けたもの、樹脂で成型したもの、繊維を植毛したもの等とすることができる。
【００２３】
細軸部２は、マスカラ剤Ａを睫毛に容易に塗布できるようにする点からは長さＤ２をできるだけ短くすることが好ましいが、しごき部材１１を通して容器１０内に塗布部３を収納できるようにする長さが必要となる。そのため、細軸部２の長さＤ２は、０．５〜３ｃｍとすることが好ましく、１〜２．５ｃｍとすることがより好ましい。
【００２４】
ハンドル部４は、手で把持し易く、ハンドル部４を把持した手が塗布時に目から離れすぎず、睫毛へのマスカラ剤Ａの塗布を容易にするため、両端の距離Ｄ４を、塗布部３と細軸部２を合わせた部分の両端の距離Ｄ３の２倍以上とすることが好ましい。ここで、ハンドル部４の両端の距離Ｄ４とは、ハンドル部４が一直線状であっても屈曲した形状を有していても、その一端と他端とを直線で結んだ場合の距離をいう。
【００２５】
また、ハンドル部４には、細軸部２と反対側の端部に、塗布部３の長手方向に垂直な直線状領域４ｂを形成することが好ましい。さらに、図１（Ａ）に破線矢印で示すように、ハンドル部の一端部４ａを塗布部３の長手方向に投影させた位置が、塗布部３または細軸部２をその長手方向に投影させた領域に存在するようにハンドル部４を形成することが好ましく、特に、前記投影位置が、塗布部３をその長手方向に投影させた領域に存在するように、ハンドル部４の細軸部２側に屈曲部４ｃを形成することが好ましい。なお、ハンドル部の屈曲部４ｃの形状には特に制限はなく、例えば、図３に示すマスカラ塗布具１Ｂのように、ハンドル部４を屈曲させてもよい。
【００２６】
図４は、さらに異なる本発明のマスカラ塗布具１Ｃの側面図である。このマスカラ塗布具１Ｃは、塗布部３と細軸部２とが一直線上になく、角度を持っている点が異なっている。このように、塗布部３と細軸部２に角度を付ける場合、容器１０の嵌め易さの点から、塗布部３の両端部を結ぶ直線Ｌ２と細軸部２の両端を結ぶ直線Ｌ３とのなす角度βは３０°以下とすることが好ましく、２０°以下がより好ましい。
【００２７】
図５のマスカラ塗布具１Ｄは、塗布部３自体を湾曲させたものである。これにより塗布部３を睫毛の生え際に沿ってあてることで、一度に塗布することができる。
【００２８】
図６のマスカラ塗布具１Ｅは、細軸部２を接合するハンドル部４の先端部が着脱自在となるようにハンドル部４を形成したものである。これにより、塗布部３とハンドル部４とが一直線上になくても、マスカラ塗布具１Ｅをコンパクトに収納することが可能となる。あるいは、ハンドル部を折り畳んでコンパクトに持ち歩けるようにする事も可能である。
【００２９】
なお、本発明のマスカラ塗布具で塗布するマスカラ剤には特に制限がなく、一般的なマスカラ剤を使用することができる。さらに容器内のマスカラ剤が無くなったとき、この部分だけを変える事で安価に製品を提供することも可能である。
【産業上の利用可能性】
【００３０】
本発明のマスカラ塗布具は、マスカラ剤を睫毛に塗布するために有用である。
【図面の簡単な説明】
【００３１】
【図１Ａ】マスカラ塗布具と容器の側面図である。
【図１Ｂ】図１Ａのマスカラ塗布具と容器を嵌めた状態の断面図である。
【図２】マスカラ塗布具の使用方法の説明図である。
【図３】マスカラ塗布具と容器の側面図である。
【図４】マスカラ塗布具と容器の側面図である。
【図５】マスカラ塗布具と容器の側面図である。
【図６】マスカラ塗布具と容器の側面図である。
【符号の説明】
【００３２】
１Ａ、１Ｂ、１Ｃ、１Ｄ、１Ｅ  マスカラ塗布具
２    細軸部
３    塗布部
４    ハンドル部
５    接合部
１０  容器
１１  しごき部材
Ａ    マスカラ剤
【図１Ａ】
2005237395.tif 000003
【図１Ｂ】
2005237395.tif 000004
【図２】
2005237395.tif 000005
【図３】
2005237395.tif 000006
【図４】
2005237395.tif 000007
【図５】
2005237395.tif 000008
【図６】
2005237395.tif 000009